(57)【要約】      （修正有）【課題】津波などによる被害を防ぐための堤防などの防波構造物を提供する。【解決手段】内側に凹んだ側面３を備え、この側面３に案内面８を設ける。案内面８は、外側領域Ｓ２から内側領域Ｓ１に入った波を、案内面８の下位置７側から上位置４側へ案内して外側領域Ｓ２へ出す。【選択図】図１
0003169689.tif 000002
【実用新案登録請求の範囲】
【請求項１】
頂部の外端部を通る鉛直面により区画された内側領域と外側領域とのうち、内側領域で頂部の外端部から下方へ延びて鉛直面によりも内側に凹んだ側面を備え、この側面において頂部に近い上位置と頂部から遠い下位置との間には、外側領域から内側領域に入った波を下位置側から上位置側へ案内して内側領域から外側領域へ出す案内面を設けたことを特徴とする防波構造物。
【請求項２】
前記案内面は上位置と下位置とを結ぶ想定面に対し凹んでいることを特徴とする請求項１に記載の防波構造物。
【請求項３】
前記案内面は上位置と下位置とを結ぶ想定面を弦とする円弧状に形成されていることを特徴とする請求項２に記載の防波構造物。
【請求項４】
前記側面において、案内面の上位置は頂部との境界に設けられ、案内面の下位置は地盤との境界に設けられていることを特徴とする請求項１または請求項２または請求項３に記載の防波構造物。
【請求項５】
コンクリートを主体として形成されていることを特徴とする請求項１から請求項４のうちいずれか一つの請求項に記載の防波構造物。
【請求項６】
海岸に設置されていることを特徴とする請求項１から請求項５のうちいずれか一つの請求項に記載の防波構造物。
【考案の詳細な説明】
【技術分野】
【０００１】
本考案は、例えば、津波などによる被害を防ぐために海岸に沿って設けられる海岸堤防などの防波構造物に関するものである。
【背景技術】
【０００２】
下記の特許文献１に示す堤防などの各種堤防では、十分な高さを持たせて防波機能を高めたとしても、巨大津波がその堤防を乗り越えて堤防の内側に押し寄せて来ることがあり得る。
【特許文献１】特開２００７−６３８９６号公報
【考案の開示】
【考案が解決しようとする課題】
【０００３】
この考案は、例えば、十分な高さを持たせて防波機能を高めた堤防に巨大津波が押し寄せて来てもその堤防を乗り越えにくくした堤防などの防波構造物の側面形状を提供することを目的としている。
【課題を解決するための手段】
【０００４】
後記実施形態の図面（図１）の符号を援用して本考案にかかる堤防を説明する。
請求項１の考案にかかる堤防などの防波構造物（１）においては、頂部（２）の外端部（４）を通る鉛直面（Ｌ）により区画された内側領域（Ｓ１）と外側領域（Ｓ２）とのうち、内側領域（Ｓ１）で頂部（２）の外端部（４）から下方へ延びて鉛直面（Ｌ）によりも内側に凹んだ側面（３）を備え、この側面（３）において頂部（２）に近い上位置（４）と頂部（２）から遠い下位置（７）との間には、外側領域（Ｓ２）から内側領域（Ｓ１）に入った波を下位置（７）側から上位置（４）側へ案内して内側領域（Ｓ１）から外側領域（Ｓ２）へ出す案内面（８）を設けている。
【０００５】
請求項１の考案では、外側領域（Ｓ２）から内側領域（Ｓ１）に入った波を側面（３）の案内面（８）により内側領域（Ｓ１）から外側領域（Ｓ２）へ出すことができるので、波が堤防（１）を乗り越えにくい。
【０００６】
請求項１の考案を前提とする請求項２の考案において、前記案内面（８）は上位置（４）と下位置（７）とを結ぶ想定面（Ｌ）に対し凹んでいる。請求項２の考案では、側面（３）の案内面（８）による波の案内機能を高めることができる。
【０００７】
請求項２の考案を前提とする請求項３の考案において、前記案内面（８）は上位置（４）と下位置（７）とを結ぶ線分を弦とする円弧状に形成されている。請求項３の考案では、側面（３）の案内面（８）による波の案内機能を高めることができる。
【０００８】
請求項１または請求項２または請求項３の考案を前提とする請求項４の考案にかかる側面（３）において、案内面（８）の上位置（４）は頂部（２）との境界に設けられ、案内面（８）の下位置（７）は地盤（５）との境界に設けられている。請求項４の考案では、側面（３）の案内面（８）による波の案内機能を側面（３）の全体で発揮させて、波が堤防（１）をより一層乗り越えにくくなる。
【０００９】
請求項１から請求項４のうちいずれか一つの請求項の考案を前提とする請求項５の考案において、堤防などの防波構造物（１）はコンクリートを主体として形成されている。請求項５の考案では、コンクリートにより側面（３）の案内面（８）を容易に形成することができる。
【００１０】
請求項１から請求項５のうちいずれか一つの請求項の考案を前提とする請求項６の考案において、堤防などの防波構造物（１）は海岸に設置されている。請求項６の考案では、請求項１から請求項５のうちいずれか一つの請求項の考案の効果を海岸堤防（１）などで発揮させることができる。
【考案の効果】
【００１１】
本考案は、堤防などの防波構造物（１）の側面（３）の形状を改良したので、例えば、十分な高さを持たせて防波機能を高めた堤防（１）に巨大津波が押し寄せて来てもその堤防（１）を乗り越えにくくなって、堤防（１）の内側における被害を少なくすることができる。
【図面の簡単な説明】
【００１２】
【図１】本実施形態にかかる堤防を概略的に示す断面図である。
【考案を実施するための形態】
【００１３】
以下、本考案の一実施形態にかかる堤防について図１を参照して説明する。
堤防１（防波構造物）は、コンクリートを主体として形成されて海岸線に沿って設置され、頂部２に道路を有している。なお、頂部２に道路を必ずしも設ける必要はない。堤防１の高さＨ及び厚さＴは巨大津波に耐えうる十分な寸法に設定されている。
【００１４】
堤防１には、海岸に面する側で、頂部２から側面３が下方へ延設されている。頂部２で側面３との境界になる外端部４を通る鉛直面Ｌにより区画された内側領域Ｓ１と外側領域Ｓ２とのうち、頂部２と地盤５との間の内側領域Ｓ１で、側面３は頂部２の外端部４から下方へ延びて鉛直面Ｌによりも内側に凹んでいる。
【００１５】
この側面３において、頂部２の外端部４（頂部２に近い上位置）と、地盤５に埋設された底部６との境界になる外端部７（頂部２から遠い下位置）との間には案内面８が形成されている。この案内面８（側面３）は、これらの外端部４，７を結ぶ想定面（鉛直面Ｌ）に対し凹んでいるとともに、これらの外端部４，７を結ぶ線分を弦とする円弧状に形成されている。
【００１６】
さて、外側領域Ｓ２から内側領域Ｓ１に入った波が堤防１の側面３に衝突すると、円弧状をなす案内面８が波を底部６の外端部７側から頂部２の外端部４側へ案内して内側領域Ｓ１から外側領域Ｓ２へ出す。
【００１７】
本実施形態は下記の効果を有する。
（１）  側面３の全体に形成した案内面８により、外側領域Ｓ２から内側領域Ｓ１に入った波を内側領域Ｓ１から外側領域Ｓ２へ出すことができるので、波が堤防１を乗り越えにくい。例えば、十分な高さを持たせて防波機能を高めた海岸堤防１に巨大津波が押し寄せて来てもその堤防１を乗り越えにくくなって、堤防１の内側における被害を少なくすることができる。
【００１８】
（２）  側面３の全体に形成した案内面８を円弧状に形成したので、波の案内機能を高めることができる。
前記実施形態以外にも例えば下記のように構成してもよい。
【００１９】
・  前記実施形態では頂部２の外端部４から下方へ延びる鉛直面Ｌ上に底部６の外端部７が位置しているが、この鉛直面Ｌから内側領域Ｓ１側にずれた位置で底部６の外端部７を設けてもよい。
【００２０】
・  前記実施形態では側面３の全体が案内面８になっているが、頂部２の外端部４と底部６の外端部７との間で側面３に頂部２に近い上位置と頂部２から遠い下位置とを設けてその上位置と下位置との間で側面３の一部に案内面８を設けてもよい。
【００２１】
・  案内面８を円弧状以外の形態、例えば、複数の円弧を滑らかにつないだ曲面や、多角形状などの形態に変更してもよい。
・  堤防１以外の防波構造物、例えば、山に沿って設けられた道路が海岸に面する側面に本考案を応用することができる。
【符号の説明】
【００２２】
１…堤防（防波構造物）、２…頂部、３…側面、４…頂部の外端部（案内面の上位置）、５…地盤、６…底部、７…底部の外端部（案内面の下位置）、８…側面の案内面、Ｌ…鉛直面（想定面）、Ｓ１…内側領域、Ｓ２…外側領域。
【図１】
0003169689.tif 000003